(57)【要約】【課題】壁を照射するユニバーサルダウンライトの発光部として、２色の白色光源を備えた発光部を用いると、発光部から照射面である壁までの距離が短いため、２色の光が十分に拡散されず、混色され難い。【解決手段】照明器具１は、枠体２０と、枠体２０に対して揺動可能に軸支されている筐体３０と、筺体３０に設けられ、第１の色の光を発光する第１発光部１２ａ1〜１２ａ4と、筺体３０に設けられ、第１の色とは異なる第２の色の光を発光する第２発光部１２ｂ1〜１２ｂ4とを備え、第１発光部１２ａ1〜１２ａ4および第２発光部１２ｂ1〜１２ｂ4は、揺動軸６０に沿った向きに並んで配置されていることを特徴とする。【選択図】図８
2014130746.tif 000002
【特許請求の範囲】
【請求項１】
枠体と、
前記枠体に対して揺動可能に軸支された筐体と、
前記筐体に設けられ、第１の色の光を発光する第１発光部と、
前記筐体に設けられ、前記第１の色とは異なる第２の色の光を発光する第２発光部とを備え、
前記第１発光部および前記第２発光部は、揺動軸に沿った向きに並んで配置されている
ことを特徴とする照明器具。
【請求項２】
前記第１発光部および前記第２発光部は、長尺形状を有し、各発光部の長手方向と前記揺動軸とが交差するように配置されている
ことを特徴とする請求項１に記載の照明器具。
【請求項３】
前記第１発光部および前記第２発光部は、同一基板上に形成され、モジュール化された状態で前記筺体に設けられている
ことを特徴とする請求項２に記載の照明器具。
【請求項４】
前記照明器具は、複数の前記第１発光部と複数の前記第２発光部とを含み、
複数の前記第１発光部と複数の第２発光部とは、前記基板上に交互に配列されている
ことを特徴とする請求項３に記載の照明器具。
【請求項５】
前記第１発光部は、前記基板上に直線的に配置された複数の発光素子と、当該複数の発光素子を一括封止する第１封止部材とから構成され、
前記第２発光部は、前記基板上に直線的に配置された複数の発光素子と、当該複数の発光素子を一括して封止する第２封止部材とから構成される
ことを特徴とする請求項４に記載の照明器具。
【請求項６】
前記第１発光部が発光する前記第１の光、および、前記第２発光部が発光する前記第２の光は、それぞれ色温度が異なる白色光であって、
前記照明器具は、
照明光の色温度を指定するための調色ユニットと接続されており、
前記調色ユニットから指定された色温度の照明光を出力するために、前記第１発光部および前記第２発光部のそれぞれに独立して駆動電流を供給する回路ユニットを備える
ことを特徴とする請求項２に記載の照明器具。
【発明の詳細な説明】
【技術分野】
【０００１】
本発明は、ＬＥＤ（Ｌｉｇｈｔ Ｅｍｉｔｔｉｎｇ Ｄｉｏｄｅ）等の発光素子を用いた照明器具に関し、特に、照射方向を変更することができるユニバーサルダウンライトに関する。
【背景技術】
【０００２】
天井埋め込み型の照明器具であって、ユーザが発光部の照射方向を自由に変更することができる、所謂、ユニバーサルダウンライトがある。現在、レストラン、美術館、商品の展示場など、様々な施設で、ユニバーサルダウンライトを用いて壁面を照射する空間演出が行われている。
また、近年、白熱灯や蛍光灯に代わる省エネ且つ長寿命の照明装置として、ＬＥＤを用いた照明装置が普及し始めている。例えば、特許文献１には、色温度が異なる２色の白色光源をそれぞれ集積して配置し、それぞれの白色光源に独立して駆動電流を供給するＬＥＤ照明装置が開示されている。この構成により、２色の白色光源を調色し、昼白色から電球色までユーザの好みの白色光を照射することができる。
【先行技術文献】
【特許文献】
【０００３】
【特許文献１】特開２０１２−４５１９号公報
【発明の概要】
【発明が解決しようとする課題】
【０００４】
ユニバーサルダウンライトの発光部として２色の白色光源を用い、壁に白色光を照射すると、天井に近い位置では、発光部から照射面までの距離が短いため、２色の白色光が十分に拡散されず、色むらが目立ちやすいとう問題がある。
そこで、本発明は、上記の問題点に鑑みなされたものであって、異なる色を発光する複数の発光部を備えた照明器具により壁を照射した場合であっても、色むらが目立ちにくい照明器具を提供することを目的とする。
【課題を解決するための手段】
【０００５】
上記の目的を達成するために、本発明の一態様である照明器具は、枠体と、筐体と、前記筺体に設けられ、第１の色の光を発光する第１発光部と、前記筺体に設けられ、前記第１の色とは異なる第２の色の光を発光する第２発光部とを備え、前記筺体は、前記枠体に対して揺動可能に軸支されており、前記第１発光部および前記第２発光部は、揺動軸に沿った向きに並んで配置されていることを特徴とする。
【発明の効果】
【０００６】
上記の構成によると、枠体に対して筐体を揺動させ、第１および第２発光部を壁に向けて照射すると、第１および第２発光部から出射された２色の光が十分に拡散されない範囲に位置する壁（天井の近傍）では、第１発光部から出射された光と第２発光部から出射された光とが照射される。また、それ以外の範囲では、２色の光が混色して照射される。したがって、２色の光が十分に拡散されない範囲とそれ以外の範囲との境界における色むらが目立ちにくい。
【図面の簡単な説明】
【０００７】
【図１】本発明の一態様に係る照明器具の天井への取付状態を示す断面図
【図２】本発明の一態様に係る照明器具の斜視図
【図３】本発明の一態様に係る照明器具の回転について説明するための分解斜視図
【図４】本発明の一態様に係る照明器具に揺動について説明するための分解斜視図
【図５】本発明の一態様に係る照明器具の使用状態の一例を示す断面図
【図６】発光モジュールの構成について説明するための図
【図７】発光素子と回路ユニットとの電気的接続関係を説明するための図
【図８】本発明の一態様に係る照明器具の底面図
【図９】本発明の一態様に係る照明器具の効果について説明するための図
【図１０】本発明の変形例に係る照明器具の底面図
【図１１】本発明の変形例に係る照明器具の底面図
【発明を実施するための形態】
【０００８】
以下では、本発明の一態様である照明器具について、図面を参照しながら説明する。
＜照明器具の構成＞
ここでは、図１〜図５を用いて、本発明の一態様である照明器具１の構成について説明する。
図１に示すように、照明器具１は、発光モジュール１０、枠体２０、筐体３０、軸受け部材４０および押え付け部材５０から構成される。
【０００９】
枠体２０は、略円筒形の枠本体２１と、枠本体２１の一方の開口部から外側へ向け延出した略円環状の鍔部２２と、枠本体２１の他方の開口部から内側へ向け延出した略円環状の軸受け載置部２３と、３つの取付ばね２４とを備える。枠体２０は、例えば、金属製の部材である。
枠部２０は、枠本体２１、軸受載置部２３および弾性変形された取付ばね２４が、天井２の埋込穴２ａ内に埋め込まれ、鍔部２２が天井面２ｂに当接された状態で、弾性復元された取付ばね２４により天井２に固定される。
【００１０】
図２に示すように、筐体３０は、モジュール収容部３１およびヒートシンク部３２を備えた金属製の部材である。モジュール収容部３１とヒートシンク部３２とは一体に成形されている。モジュール収容部３１は、有底円筒状であって、内部には、発光モジュール１０、反射鏡３４および拡散板３５が収容されている。ヒートシンク部３２は、モジュール収容部３１の底側に延設されており、複数の放熱フィン３２ａを備える。
【００１１】
筐体３０は、枠体２０に対しｙ軸と平行な回転軸Ｊ１を軸として矢印Ａ１、Ａ２の方向に回転自在、且つ、ｚ軸に平行な揺動軸Ｊ２を軸として矢印Ａ３、Ａ４の方向に揺動自在である。すなわち、照明器具１は、天井２に取り付けられた状態で、ユーザが自由に照射方向を変えることができる、所謂ユニバーサルダウンライトである。
図３は、発光モジュール１０が収容された筐体３０が枠体２０に対して回転自在に取り付けられていることを説明するための図である。
【００１２】
図３に示すように、筐体３０には、モジュール収容部３１とヒートシンク部３２との境界付近に、軸受け部材４０が外嵌される。筐体３０は、軸受け部材４０を介して枠体２０に取り付けられている。具体的には、筐体３０は、モジュール収容部３１が枠本体２１内に収容され、且つ、軸受け部材４０が枠体２０の軸受け載置部２３に載置された状態で、押え付け部材５０で軸受け部材４０を軸受け載置部２３に押え付けることにより、枠体２０に固定されている。
【００１３】
ここで、押え付け部材５０は軸受け載置部２３にのみ固定されており、押え付け部材５０と軸受け載置部２３との間の隙間は軸受け部材４０の厚みよりも僅かに広い。そのため、軸受け部材４０は上下方向の移動が規制された状態で回転軸Ｊ１を軸として回転自在である。軸受け部材４０に固定されている筐体３０は、軸受け部材４０と一体になった状態で、枠体２０に対して回転軸Ｊ１を軸として３６０度回転自在である。
【００１４】
図４は、発光モジュール１０が収容された筐体３０が枠体２０に対して揺動自在に取り付けられていることを説明するための図である。
図４に示すように、筐体３０は、一対のボルト６０により軸受け部材４０に揺動自在に軸支されている。軸受け部材４０は、平板円環状の本体４１と、本体４１の外周縁の二箇所に互いに対向するように設けられた一対の取付片４２とを有する。各取付片４２には、揺動軸となる一対のボルト６０が挿入される挿入孔４２ａがそれぞれ設けられている。
【００１５】
一方、筐体３０の表面の軸受け部材４０が外嵌される部分には、軸受け部材４０の挿入孔４２ａの位置に合わせてねじ孔３３が設けられている。ボルト６０による筐体３０の軸受け部材４０への固定は、挿入孔４２ａとねじ孔３３とを連通させた状態において、挿入孔４２ａに挿入したボルト６０を、さらにねじ孔３３にねじ込むことによって行われる。これにより、筐体３０は、一対のボルト６０を揺動軸Ｊ２として、軸受け部材４０に対して揺動自在に支持される。なお、揺動軸Ｊ２は、軸受け部材４０の中心に対して偏心している。
【００１６】
このようにして組み立てられ、天井２に埋め込まれた照明器具１は、図５に示すように、筐体３０を枠体２０に対して傾斜させた状態で使用することができる。
図５に示すように、発光モジュール１０は、モジュール収容部３１の底面３１ａに取り付けられている。反射鏡３４は、発光モジュール１０から離れるほど径が拡がる略円筒状であって、内面には光反射面が形成されている。反射鏡３４は、発光モジュール１０を取り囲むようにしてモジュール収容部３１内に収容されている。拡散板３５は、発光モジュール１０とは反対側の反射鏡３４の開口部を塞ぐように配置されている。このような構成により、発光モジュール１０から出射された光は、反射鏡３４で反射し、拡散板３５で拡散される。
【００１７】
図５に示すように、筐体３０を揺動させると、天井２に対する底面３１ａの傾斜角が変化し、それに伴い、天井２に対する発光モジュール１０の傾斜角も変化する。その結果、発光モジュール１０から出射され、反射鏡３４で反射し、拡散板３５で拡散された光も、その出射角が変化する。
発光モジュール１０は、回路ユニットと電気的に接続されており、回路ユニットから発光モジュール１０へ電力が供給されることによって発光する。回路ユニットの詳細は後述する。
【００１８】
＜発光モジュールの構成＞
続いて、図６および図７を用いて、発光モジュール１０の詳細について説明する。図６（ａ）は、発光モジュール１０を上面から見た平面図である。図６（ｂ）は、発光モジュール１０のＡ−Ａ´矢視断面図である。
図６（ａ）に示すように、発光モジュール１０は、基板１１、第１発光部１２ａ1〜１２ａ4、第２発光部１２ｂ1〜１２ｂ4、端子部１５ａ、１５ｂ、１６ａおよび１６ｂを備える。
【００１９】
基板１１は、例えば、方形板状であって、セラミック基板や熱伝導樹脂等からなる絶縁層とアルミ板等からなる金属層との２層構造を有する。
図６（ｂ）および図７に示すように、第１発光部１２ａ1〜１２ａ4は、複数の発光素子１３と第１蛍光体層１４ａとから構成され、第２発光部１２ｂ1〜１２ｂ4は、複数の発光素子１３と第２蛍光体層１４ｂとから構成される。
【００２０】
発光素子１３は、一例として、ピーク波長が４３０ｎｍ以上４７０ｎｍ以下の青色光を出射するＧａＮ系の青色ＬＥＤである。
図７に示すように、複数の発光素子１３は、ｘ軸方向に直線的に並んで素子列を構成しており、それら素子列がｚ軸方向に複数列並んで基板１１に実装されている。一例として、各発光素子１３は、基板１１の上面１１ａにＣＯＢ（Ｃｈｉｐ  ｏｎ  Ｂｏａｒｄ）技術を用いてフェイスアップ実装されている。各素子列に含まれる発光素子１３の数は、基板１１の中央側からｚ軸方向の両側に向かうほど少なくなる。そのため、発光モジュール１０の発光面１２は、全体として略円形となる。
【００２１】
各素子列は、長尺状の第１蛍光体層１４ａまたは第２蛍光体層１４ｂにより個別に封止されて１つの発光部を構成する。素子列が第１蛍光体層１４ａにより封止されたものが第１発光部１２ａ1〜１２ａ4であり、素子列が第２蛍光体層１４ｂにより封止されたものが第２発光部１２ｂ1〜１２ｂ4である。そのため、第１発光部１２ａ1〜１２ａ4および第２発光部１２ｂ1〜１２ｂ4の形状は、第１蛍光体層１４ａおよび第２蛍光体層１４ｂの形状に依存し、ｘ軸方向を長手方向とする長尺形状である。
【００２２】
このように、各素子列を個別に封止することで、封止部材間の空間が確保され、放熱効果が向上する。
第１蛍光体層１４ａは、透明樹脂材料に波長変換材料を分散させて形成される。透明樹脂材料には、波長変換材料の他に拡散材が混入されていても良い。透明樹脂材料としては、例えば、シリコーン樹脂、フッソ樹脂、シリコーン・エポキシのハイブリッド樹脂、ユリア樹脂等を用いることができる。波長変換材料としては、黄色蛍光体や、緑色蛍光体と赤色蛍光体との組み合わせなどを用いることができる。具体的には、ＹＡＧ系蛍光体として知られるガーネット構造を有する蛍光体、サイアロン構造を有する酸窒化物蛍光体、その他の酸窒化物蛍光体、硫化物蛍光体、シリケート系蛍光体などの蛍光体のうちの単体または２種類以上を混合した混合物を用いることができる。黄色蛍光体、緑色蛍光体、赤色蛍光体は、それぞれ、発光素子１３から出射される青色光を、黄色光、緑色光、赤色光に波長変換する。
【００２３】
第１発光部１２ａ1〜１２ａ4は、各発光素子１３から出射される青色光と、その青色光の一部が第１蛍光体層１４ａで波長変換された黄色光、緑色光または赤色光との混色により、色温度が２２００Ｋ付近の相関色温度の白色光を出力する。
第２蛍光体層１４ｂは、第１蛍光体層１４ａと同様の構造を有する。第２蛍光体層１４ｂが第１蛍光体層１４ａと異なる点は、波長変換材料である蛍光体の添加量や添加する蛍光体の種類、比率等である。
【００２４】
第２発光部１２ｂ1〜１２ｂ4は、各発光素子１３から出射される青色光と、その青色光の一部が第２蛍光体層１４ｂで波長変換された黄色光、緑色光または赤色光との混色により、色温度が８０００Ｋ付近の相関色温度の白色光を出力する。
次に、図８を用いて、各発光部の配列と揺動軸Ｊ２との関係について説明する。図８は、反射鏡３４と拡散板３５とを取り除き、発光モジュール１０を露出させた状態の照明器具１の底面図である。
【００２５】
図８に示すように、異なる色温度の白色光を発光する発光部が、揺動軸Ｊ２に沿った向きに並んで交互に配置されている。すなわち、揺動軸Ｊ２に沿った向きに、第１発光部１２ａ1、第２発光部１２ｂ1、第１発光部１２ａ2、第２発光部１２ｂ2、第１発光部１２ａ3、第２発光部１２ｂ3、第１発光部１２ａ4、第２発光部１２ｂ4の順序で交互に配置されている。また、第１発光部１２ａ1〜１２ａ4および第２発光部１２ｂ1〜１２ｂ4の各発光部は、その長手方向であるＪ３が、揺動軸Ｊ２と略垂直となるように配置されている。
【００２６】
さらに、図８に示すように、各発光部は、揺動軸Ｊ２に対して偏心して配置されている。すなわち、各発光部の長手方向の中央位置を結んだ仮想線をＬとすると、各発光部は、仮想線Ｌが揺動軸Ｊ２に並行、且つ、仮想線Ｌが揺動軸Ｊ２より距離ｌだけずれるように配置されている。これにより、照明器具１を使用する際には、仮想線Ｌが揺動軸Ｊ２より鉛直方向で下側となるように筐体３０を揺動させることで、枠体２０によって遮断される光量を少なくすることができる。したがって、照明器具１は、高輝度で、且つ、広範囲にわたって壁を照射することが可能となる。
【００２７】
＜電気的接続＞
図７に戻り、発光モジュール１０における発光素子１３の電気的接続について説明する。
基板１１の上面１１ａには、導体パターンによる端子部１５ａ、１５ｂ、１６ａ、１６ｂが形成されている。端子部１５ａおよび端子部１６ａは、第１発光部１２ａ1〜ａ4に含まれる発光素子１３への給電用として機能する。端子部１５ｂおよび端子部１６ｂは、第２発光部１２ｂ1〜１２ｂ4に含まれる発光素子１３への給電用として機能する。なお、端子部１５ａおよび１５ｂは、電極端子であり、端子部１６ａおよび１６ｂは、グランド端子である。
【００２８】
また、基板１１の上面１１ａには、導体パターンによる配線１７および１８が形成されている。第１発光部１２ａ1〜１２ａ4に含まれる各発光素子１３は、配線１７により、隣り合う発光素子１３と電気的に接続されている。第２発光部１２ｂ1〜１２ｂ4に含まれる各発光素子１３は、配線１８により、隣り合う発光素子１３と電気的に接続されている。
上述したように、発光モジュール１０の発光面１２は略円形である。そのため、第１発光部１２ａ1〜１２ａ4のそれぞれに含まれる発光素子１３の数が異なる。同様に、第２発光部１２ｂ1〜１２ｂ4のそれぞれに含まれる発光素子１３の数が異なる。
【００２９】
そこで、本実施形態では、図７に示すように、第１発光部１２ａ1に含まれる発光素子１３と第１発光部１２ａ3に含まれる発光素子１３とを配線１７により直列接続する。また、第１発光部１２ａ2に含まれる発光素子１３と第１発光部１２ａ4に含まれる発光素子１３とを配線１７により直列接続する。これにより、３６個の発光素子１３が直列接続された２つグループが構成される。そして、これら２つのグループを並列接続することにより、各発光素子１３への電力供給量を均等にすることができる。
【００３０】
同様に、第２発光部１２ｂ1に含まれる発光素子１３と第２発光部１２ｂ3に含まれる発光素子１３とを配線１８により直列接続する。また、第２発光部１２ｂ2に含まれる発光素子１３と第２発光部１２ｂ4に含まれる発光素子１３とを配線１８により直列接続する。これにより、２８個の発光素子１３が直列接続された２つグループが構成される。そして、これら２つのグループを並列接続することにより、各発光素子１３への電力供給量を均等にすることができる。
【００３１】
なお、第２発光部の発光素子と比較し、第１発光部の発光素子を多く設けているのは、低色温度側の発光部である第１発光部の発光効率（ｌｍ／Ｗ効率）が、高色温度側の発光部である第２発光部の発光効率よりも低いためである。
各端子部１５ａ、１５ｂ、１６ａおよび１６ｂは、それぞれリード線７１により筐体３０の外部にある回路ユニット４の点灯回路部４ｃと接続されている。
【００３２】
以上のような電気的接続構成により、照明器具１は、第１発光部１２ａ1〜１２ａ4および第２発光部１２ｂ1〜１２ｂ4のそれぞれに、独立した系統で電流を流すことが可能である。
＜回路構成＞
図７に示すように、回路ユニット４は、点灯回路部４ｃ、指示検出回路部４ｄ、および、制御回路部４ｅを含む点灯回路をユニット化したものである。
【００３３】
回路ユニット４は、外部の商用交流電源（不図示）と電気的に接続されており、商用交流電源から入力される電流を発光モジュール１０に供給する。そして、第１発光部１２ａ1〜１２ａ4および第２発光部１２ｂ1〜１２ｂ4を別々に点灯制御する。
回路ユニット４は、調光色ユニット５と接続されている。調光色ユニット５は、一例として、ボタンやつまみ等を備え、ユーザが照明器具１の照明光の輝度および色温度を調整するためのものである。ユーザは、調光色ユニット５のボタンやつまみ等を操作することにより、照明光を所望の明るさ（輝度）および色味（色温度）に指示することが可能である。調光色ユニット５は、ユーザの操作を受けると、調光色信号を回路ユニット４に出力する。なお、調光色ユニット５は、ユーザ操作を受け付け、ユーザ操作に対応した調光色信号を回路ユニット４に出力する構成には限定されない。例えば、調光色ユニット５は、予め組み込まれているコンピュータプログラムによって調光色信号を生成し、生成した調光色信号を回路ユニット４に出力する構成でもよい。
【００３４】
点灯回路部４ｃは、ＡＣ／ＤＣコンバータ（図示せず）を備える回路で構成され、第１発光部１２ａ1〜１２ａ4および第２発光部１２ｂ1〜１２ｂ4に別々に電力を供給する。具体的には、制御回路部４ｅからの指示に基づいて、商用交流電源からの交流電圧を、ＡＣ／ＤＣコンバータを用いてそれぞれの発光部の発光素子１３に適した直流電圧に変換する。そして、それら各発光素子１３に適した直流電圧を順電圧として各発光素子１３に印加する。なお、ＡＣ／ＤＣコンバータとしては、例えばダイオードブリッジ等が用いられる。
【００３５】
指示検出回路部４ｄは、調光色ユニット５から出力された調光色信号を取得する。  調光色信号は、ユーザの操作に対応した調光比および色温度の情報を含む。調光比は、全点灯（１００％の光出力で点灯）時の照明光の明るさに対する相対的な明るさを示す比率で表される。色温度は、２２００Ｋ〜６７００Ｋまでの数値で表される。
指示検出回路部４ｄは、調光色ユニット５から調光色信号を受け取ると、調光色信号に含まれる調光比および色温度の情報を抽出し、制御回路部４ｅに出力する。
【００３６】
制御回路部４ｅは、マイクロプロセッサとメモリとを備えている。制御回路部４ｅは、マイクロプロセッサを用いて、指示検出回路部４ｄから入力された調光比および色温度を実現するために、第１発光部１２ａ1〜１２ａ4および第２発光部１２ｂ1〜１２ｂ4の各光出力を制御する。
一例として、メモリには、各種の調光比および各種の色温度を実現するために第１発光部１２ａ1〜１２ａ4および第２発光部１２ｂ1〜１２ｂ4に供給すべき電流量を記載したルックアップテーブルが記憶されている。マイクロプロセッサは、ルックアップテーブルを用いて、第１発光部１２ａ1〜１２ａ4および第２発光部１２ｂ1〜１２ｂ4のそれぞれに供給する電流量を決定する。制御回路部４ｅは、決定したそれぞれの電流量が流れるように、発光部毎にデューティ比を設定して、第１発光部１２ａ1〜１２ａ4および第２発光部１２ｂ1〜１２ｂ4をＰＷＭ制御する。
【００３７】
このように、照明器具１は、第１発光部１２ａ1〜１２ａ4の出力光および第２発光部１２ｂ1〜１２ｂ4の出力光を調色して、色温度が２２００Ｋ程度のろうそく灯りから、色温度が６７００Ｋ程度の昼光色まで、ユーザの所望の色温度の照明光を出力することができる。
＜実施形態の効果＞
次に、図９を用いて、本発明の一態様である照明器具１の効果について説明する。
【００３８】
照明器具１は、（ａ）に示すように、天井２に取り付けられ、揺動軸を回転軸として一定角度揺動させた後、固定させた状態で壁３を照射する。このとき、照明器具１と照射面である壁３との距離は、天井２に近いほど短く、天井２から離れるほど長くなる。そのため、各発光素子１３から出射された光は、天井付近では拡散されにくく、天井２から離れるほど拡散されやすい。
【００３９】
このような状況において、（ｂ）のように発光部を形成した場合、および（ｄ）のように発光部を形成した場合、それぞれの照明光の見え方について検討する。
（ｂ）は、２色の発光部が揺動軸Ｊ２に直交する向きに並んで配置されている。（ｃ）は、このときの照明光の見え方を説明するための模式図である。このように、２色の光が十分に拡散されない範囲に位置する壁（天井の近傍）では、一方の発光部から出射された光のみが照射され、それ以外の範囲に位置する壁では、２つの発光部から出射された光が混色されて照射される。
【００４０】
一方、（ｄ）は、２色の発光部が揺動軸Ｊ２の向きに並んで配置されており、本実施形態の発光モジュール１０に対応する。（ｅ）は、このときの照明光の見え方を説明するための模式図である。このように、２色の光が十分に拡散されない範囲に位置する壁（天井の近傍）では、２つの発光部から出射された光が狭い間隔で交互に照射され、それ以外の範囲に位置する壁では、２つの発光部から出射された光が混色されて照射される。
【００４１】
（ｃ）をユーザから見た場合、天井２の近傍において、混色されていない１色の白色光と混色されている白色光との境界が目立ちやすく、横向きに一本の筋のように見える。これはユーザに大きな違和感を与える。
（ｅ）をユーザから見た場合、天井２の近傍において、２色の白色光が照射されているため、混色されていない２色の白色光と混色されている白色光との境界が目立ちにくい。（ｃ）と比較すると、ユーザに与える違和感は格段に小さい。
【００４２】
したがって、本実施形態のように、第１発光部１２ａ1〜１２ａ4と第２発光部１２ｂ1〜１２ｂ4とを、揺動軸Ｊ２の向きに並んで配置することにより、天井から近い壁を照射した場合であっても、ユーザに与える違和感を軽減することが可能となる。
＜その他の変形例＞
以上、本発明に係る照明器具の実施形態を説明したが、例示した照明器具を以下のように変形することも可能である。本発明が上述の実施形態で示した通りの照明器具に限られないことは勿論である。
【００４３】
（１）上記の実施形態では、第１発光部１２ａ1〜１２ａ4および第２発光部１２ｂ1〜１２ｂ4は、その長手方向が揺動軸Ｊ２に略垂直であった。しかし、本発明において、各発光部の長手方向が揺動軸Ｊ２に略垂直であることは必須ではない。各発光部は、その長手方向と揺動軸Ｊ２とが４５度より大きい角度で交差していることが望ましい。
（２）また、すべての発光部において、その長手方向が揺動軸Ｊ２と略垂直に交差する必要はない。例えば、発光面の中央寄りに位置する発光部のみ、揺動軸と垂直に交差し、その他の発光部は、中央から遠ざかるほど傾斜して、発光面の全体形状が扇形のような構成であってもよい。このように、発光面を、揺動軸Ｊ２を境界とする狭い方に収束し、広い方に広がる扇形にすることで、照明器具を揺動させて壁を照射したときに、高輝度で、且つ、広範囲にわたって壁を照射することが可能となる。
【００４４】
（３）また、すべての発光部において、その長手方向が揺動軸Ｊ２と交差する必要はない。発光面全体を見たときに、その長手方向が揺動軸Ｊ２と略垂直に交差する発光部の面積が発光面全体の面積の２分の１以上であれば、その長手方向と揺動軸Ｊ２とが水平である発光部が存在していてもよい。そのため、異なる色を発光する発光部を環状に並べたり、異なる色を発光する発光部を千鳥格子状に並べたりする場合も本発明に含まれる。
【００４５】
（４）また、上記の実施形態では、各発光部を構成する素子列および蛍光体層の長手方向が共に揺動軸Ｊ２と垂直であった。しかし、この構成は必須ではない。上述したように、発光部の形状は蛍光体層の形状に依存するので、少なくとも、蛍光体層の長手方向が揺動軸Ｊ２と略垂直であればよく、各発光部に含まれる素子列は直線状でなくてもよい。各発光部に含まれる素子列は、ジグザグ形状でも良いし、２列ずつでもよい。
【００４６】
（５）上記の実施形態では、異なる白色光を発光する第１発光部と第２発光部とが１列ずつ交互に基板上に配列される構成を有していた。しかし、本発明に係る照明器具は、この構成に限定されない。例えば、第１発光部と第２発光部とが、２列、１列、２列、１列と交互に基板上に配列される構成でもよい。第１発光部の列数と第２発光部の列数とが逆でももちろん良い。
【００４７】
（６）また、本発明において、第１発光部と第２発光部とが交互に基板上に配列されることは必須ではない。例えば、図１０に示す発光モジュール１１０のように、基板の左半分に第１発光部１２ａ1〜１２ａ4を配置し、基板の右半分に第２発光部１２ｂ1〜１２ｂ4を配置する構成であってもよい。また、上記の実施形態では、発光モジュール１０の発光面１２は円形であったのに対し、図１０の発光モジュール１１０の発光面は、方形状である。このように、発光面を方形状に構成する場合も本発明に含まれる。
【００４８】
（７）また、本発明において、第１発光部と第２発光部とが長尺形状であることは必須ではない。例えば、第１発光部および第２発光部として、ＳＭＤ（Ｓｕｒｆａｃｅ  Ｍｏｕｎｔ  Ｄｅｖｉｃｅ）タイプの発光部を用いてもよい。
より具体的には、それぞれ異なる色温度の白色光を出力する２種類のＳＭＤを複数個マトリックス状に配置する構成でもよい。このとき、低色温度の白色光を出力するＳＭＤの列と高色温度の白色光を出力するＳＭＤの列とが、揺動軸の向きに交互に並ぶように配置してもよい。
【００４９】
（８）また、本発明において、第１発光部と第２発光部とがそれぞれ複数あることも必須ではない。例えば、図１１に示すように、ＳＭＤタイプの発光部を２個、揺動軸の向きに並べた構成も本発明に含まれる。
図１１に示す発光モジュール２１０は、ＳＭＤ２１１とＳＭＤ２１２とが揺動軸Ｊ２の向きに並んで配置されている。ＳＭＤ２１１は、ＬＥＤ２１１ａと封止部材２１１ｂとから構成され、ＳＭＤ２１２は、ＬＥＤ２１２ａと封止部材２１２ｂとから構成される。ＳＭＤ２１１およびＳＭＤ２１２は、それぞれ、異なる色温度の白色光を出力する。
【００５０】
（９）本発明に係る発光素子は、ピーク波長が４３０ｎｍ以上４７０ｎｍ以下の青色光を出射する青色ＬＥＤに限定されない。それ以外の波長の青色光を出射する青色ＬＥＤであっても良いし、ピーク波長が４２０ｎｍ以下の紫外光〜青紫光を出射するＬＥＤであっても良い。また、波長変換材料として用いる蛍光体としては、青色蛍光体、緑色蛍光体、赤色蛍光体、または、これらの混合物を用いても良い。
【００５１】
（１０）上記の実施形態では、第１発光部および第２発光部は、共に青色ＬＥＤと波長変換剤である蛍光体層とを組み合わせることにより白色光を生成する構成であった。しかし、本発明における第１発光部および第２発光部は、発光素子と蛍光体層とから構成されることは必須ではない。例えば、第１発光部は、青色ＬＥＤと蛍光体層との組み合わせで構成し、第２発光部は、赤色発光素子と蛍光体を含まない透光性材料との組み合わせで構成してもよい。
【００５２】
（１１）上記の実施形態では、照明器具１は、低色温度の白色光を発光する発光部と、高色温度の白色光を発光する発光部とを組み合わせて、調色することにより、ろうそく灯りから昼光色までの色味の異なる白色光を出力する構成を有していた。しかし、本発明において、色温度が異なる白色光を調色する構成は必須ではない。
さらに、本発明の照明器具は、それぞれが異なる色を発光する３つ以上の発光部を備える構成でもよい。
【００５３】
例えば、第１発光部として赤色発光素子（Ｒ）を用い、第２発光部として緑色発光素子（Ｇ）を用い、第３発光部として青色発光素子（Ｂ）を用い、これらの発光部から出射される３色の光を混色することにより、照明器具全体として白色光を出力する場合も本発明に含まれる。
（１２）上記の実施形態では、第１発光部１２ａ1〜１２ａ4および第２発光部１２ｂ1〜１２ｂ4は、同一基板上にモジュール化されている構成を有していた。しかし、本発明の照明器具はこの構成に限定されない。第１発光部１２ａ1〜１２ａ4と第２発光部１２ｂ1〜１２ｂ4とが筐体３０に取り付けられている構成であればよく、これらの発光部がすべて同一基板上に配置されていることは必須ではない。
【００５４】
（１３）上記の実施形態では、本発明に係る発光素子として、ＬＥＤを用いて説明したが、本発明に係る発光素子は、例えば、ＬＤ（レーザダイオード）や、ＥＬ素子（エレクトリックルミネッセンス素子）等であっても良い。
（１４）上記の実施形態および上記の変形例を適宜組み合わせてもよい。
＜補足＞
以下、更に本発明の一実施形態としての照明器具の構成およびその変形例と効果について説明する。
【００５５】
（ａ）照明器具であって、枠体と、前記枠体に対して揺動可能に軸支された筐体と、前記筐体に設けられ、第１の色の光を発光する第１発光部と、前記筐体に設けられ、前記第１の色とは異なる第２の色の光を発光する第２発光部とを備え、前記第１発光部および前記第２発光部は、揺動軸に沿った向きに並んで配置されていることを特徴とする。
この構成によると、枠体に対して筐体を揺動させ、第１および第２発光部を壁に向けて照射すると、第１および第２発光部から出射された２色の光が十分に拡散されない範囲に位置する壁（天井の近傍）では、第１発光部から出射された光と第２発光部から出射された光とが照射される。また、それ以外の範囲に位置する壁では、２色の光が混色して照射される。したがって、２色の光が十分に拡散されない範囲とそれ以外の範囲との境界における色むらが目立ちにくい。
【００５６】
なお、前記第１発光部および前記第２発光部は、同一方向を照射するように、前記筺体に設けられていることとする。
（ｂ）ここで、前記第１発光部および前記第２発光部は、長尺形状を有し、各発光部の長手方向と前記揺動軸とが交差するように配置されていることを特徴とする。
この構成によると、枠体に対して筐体を揺動させ、第１および第２発光部を壁に向けて照射した場合に、枠体によって遮断される光量を少なくすることができる。したがって、照明器具は、高輝度で、且つ、広範囲にわたって壁を照射することが可能となる。
【００５７】
（ｃ）ここで、前記第１発光部および前記第２発光部は、同一基板上に形成され、モジュール化された状態で前記筺体に設けられていることを特徴とする。
この構成によると、同一基板上に形成された第１発光部および第２発光部により同一方向を照射することできる。また、各種のモジュールを筐体に取り付けることにより、形状、大きさ、調光範囲などが異なる各種の照明器具を製造することができる。
【００５８】
（ｄ）ここで、前記照明器具は、複数の前記第１発光部と複数の前記第２発光部とを含み、複数の前記第１発光部と複数の第２発光部とは、前記基板上に交互に配列されていることを特徴とする。
この構成によると、第１発光部および第２発光部から出射された光が混色されやすく、照明光の色むらを改善することができる。また、枠体に対して筐体を揺動させ、第１および第２発光部を壁に向けて照射した場合に、第１および第２発光部から出射された２色の光が十分に拡散されない天井の近傍では、２つの発光部から出射された光が狭い間隔で交互に照射されるので、混色されていない２色の光と混色されている光との境界が目立ちにくい。
【００５９】
（ｅ）ここで、前記第１発光部は、前記基板上に直線的に配置された複数の発光素子と、当該複数の発光素子を一括封止する第１封止部材とから構成され、前記第２発光部は、前記基板上に直線的に配置された複数の発光素子と、当該複数の発光素子を一括して封止する第２封止部材とから構成されることを特徴とする。
なお、「直線的に配置されている」とは、複数の発光素子が１列に配列されている場合に限定されず、複数の発光素子が２列ずつ配列されている場合や、複数の発光素子がジグザグ状に配列されている場合なども含む。
【００６０】
この構成によると、直線的に配置された第１発光部および第２発光部を列毎に個別に封止することにより、封止部材間の空間が確保され、放熱効果が向上する。
（ｆ）ここで、前記第１発光部が発光する前記第１の光、および、前記第２発光部が発光する前記第２の光は、それぞれ色温度が異なる白色光であって、前記照明器具は、照明光の色温度を指定するための調色ユニットと接続されており、前記調色ユニットから指定された色温度の照明光を出力するために、前記第１発光部および前記第２発光部のそれぞれに独立して駆動電流を供給する回路ユニットを備えることを特徴とする。
【００６１】
この構成によると、調色が可能なユニバーサルダウンライトを提供することができる。そして、このユニバーサルダウンライトを用いて壁を照射した場合、壁に生じる色むらが目立ちにくく、美しい演出照明として利用することができる。
【符号の説明】
【００６２】
１  照明器具
１０、１１０、２１０  発光モジュール
１２ａ1〜１２ａ4  第１発光部
１２ｂ1〜１２ｂ4  第２発光部
１３  発光素子
１４ａ  第１蛍光体層
１４ｂ  第２蛍光体層
２０  枠体
３０  筐体
４０  軸受け部材
５０  押え付け部材
６０  ボルト（揺動軸）
【図１】
2014130746.tif 000003
【図２】
2014130746.tif 000004
【図３】
2014130746.tif 000005
【図４】
2014130746.tif 000006
【図５】
2014130746.tif 000007
【図６】
2014130746.tif 000008
【図７】
2014130746.tif 000009
【図８】
2014130746.tif 000010
【図９】
2014130746.tif 000011
【図１０】
2014130746.tif 000012
【図１１】
2014130746.tif 000013